(57)【要約】      （修正有）【課題】クランプ用の改良された顎構造及び改良されたクランプを提供する。【解決手段】顎本体に回転可能に取り付けられている顎を有する顎本体を備えている、クランプ用の顎アッセンブリ１２を提供する。ロック部材は、顎が顎本体に対してロックされている第１位置と、顎が顎本体に対してロック解除されていて、顎を顎本体に対して回転させることができる第２位置との間を動かすことができる。顎アッセンブリを組み込んだクランプ１０も提供する。ロック解除位置では、顎を枢動させて、顎自身を工作物に向けることができ、ロック位置では、顎は固定されていて、工作物の縁部をクランプすることができるようになっている。【選択図】図１
2010042501.tif 000002
【特許請求の範囲】
【請求項１】
クランプのための顎アッセンブリにおいて、
顎本体と、
前記顎本体に回転可能に取り付けられている顎と、
前記顎が前記顎本体に対してロックされている第１位置と、前記顎が前記顎本体に対してロック解除されている第２位置との間を動かすことができるロック部材と、を備えている顎アッセンブリ。
【請求項２】
前記ロック部材は、前記第１位置で、前記顎本体の第２領域に接触するための第１領域を含んでいる、請求項１に記載の顎アッセンブリ。
【請求項３】
前記第１領域は第１突起を備えており、前記第２領域は第２突起を備えている、請求項２に記載の顎アッセンブリ。
【請求項４】
前記顎は、工作物と接触するための面を含んでいる、請求項１に記載の顎アッセンブリ。
【請求項５】
前記顎は、前記面に平行に配置されている軸の周りを枢動する、請求項１に記載の顎アッセンブリ。
【請求項６】
前記ロック部材は、前記顎に、これと共に動くように取り付けられている、請求項１に記載の顎アッセンブリ。
【請求項７】
前記ロック部材は、前記顎に対して動かすことができる、請求項１に記載の顎アッセンブリ。
【請求項８】
前記ロック部材は、前記顎に対して往復運動する、請求項７に記載の顎アッセンブリ。
【請求項９】
前記顎本体は、少なくとも１つの突起と、少なくとも１つの窪みを含んでいる、請求項１に記載の顎アッセンブリ。
【請求項１０】
前記顎は、少なくとも１つの突起と、少なくとも１つの窪みを含んでいる、請求項１に記載の顎アッセンブリ。
【請求項１１】
前記顎は、或る点の周りに旋回する、請求項１に記載の顎アッセンブリ。
【請求項１２】
クランプにおいて、
第１顎アッセンブリであって、
顎本体と、
前記顎本体に回転可能に取り付けられている顎と、
前記顎が前記顎本体に対してロックされている第１位置と、前記顎が前記顎本体に対してロック解除されている第２位置との間を動かすことができるロック部材と、を備えている第１顎アッセンブリと、
第２顎アッセンブリと、
前記第１顎アッセンブリと前記第２顎アッセンブリを、互いに対して動かすための手段と、を備えているクランプ。
【請求項１３】
前記ロック部材は、前記第１位置で、前記顎本体の第２領域に接触するための第１領域を含んでいる、請求項１２に記載のクランプ。
【請求項１４】
前記第１領域は第１突起を備えており、前記第２領域は第２突起を備えている、請求項１３に記載のクランプ。
【請求項１５】
前記顎は、工作物と接触するための面を含んでいる、請求項１２に記載のクランプ。
【請求項１６】
前記顎は、前記面に平行に配置されている軸の周りを枢動する、請求項１２に記載のクランプ。
【請求項１７】
前記ロック部材は、前記顎に、これと共に動くように取り付けられている、請求項１２に記載のクランプ。
【請求項１８】
前記ロック部材は、前記顎に対して動かすことができる、請求項１２に記載のクランプ。
【請求項１９】
前記第１顎アッセンブリは、滑動バー上に取り付けられている、請求項１２に記載のクランプ。
【請求項２０】
前記顎に取り外し可能に取り付けられている全面パッドを更に含んでおり、前記全面パッドは、前記顎を越えて伸張している、請求項１２に記載のクランプ。
【請求項２１】
クランプを操作する方法において、
顎本体に回転可能に取り付けられている顎を提供する段階と、
前記顎を前記顎本体に対してロックする段階と、
前記顎を前記顎本体に対してロック解除し、前記顎を前記顎本体に対して回転させて、工作物と整列させられるようにする段階と、を備える方法。
【発明の詳細な説明】
【技術分野】
【０００１】
本発明は、スイベル顎を備えたクランプに関する。
【背景技術】
【０００２】
バークランプ、Ｃ字型クランプ、ばねクランプ、万力、パイプクランプなど多くの異なる型式のクランプが知られている。典型的なクランプは、互いに向けて及び互いから離れる方向に動かすことのできる一対の顎を備えていて、工作物を顎の間に挟んで、それに圧力を加えることができるようになっている。顎同士の互いに向いた及び互いから離れる方向の相対運動は、様々な異なる機構によって達成することができる。例えば、スクリュー、カム、滑動機構、ばねなどを用いて、顎の一方又は両方を、互いに向けて及び互いから離れる方向に動かすことが知られている。「引き金」型式のグリップを使って顎の運動を実現する型式のクランプは、片方操作式バークランプとして知られている。
【発明の概要】
【発明が解決しようとする課題】
【０００３】
クランプ用の改良された顎構造、及び改良されたクランプが必要とされている。
【課題を解決するための手段】
【０００４】
顎本体に枢動可能に取り付けられた顎を有する顎本体を備えている、クランプ用の顎アッセンブリが提供されている。ロック部材は、顎が顎本体に対してロックされている第１位置と、顎が顎本体に対してロック解除されており、顎を顎本体に対して回転させることのできる第２位置との間を動かすことができる。ロック解除位置では、顎は、顎本体に対して回転させることができ、顎自体を工作物に向けることができるようになっている。ロック位置では、顎は、顎本体に対して固定されており、工作物の縁部をクランプすることができるようになっている。顎アッセンブリを組み込んだクランプも提供されている。顎アッセンブリを使用しているクランプを操作する方法も記載されている。
【図面の簡単な説明】
【０００５】
【図１】本発明の顎アッセンブリを使用しているクランプの或る実施形態の側面図である。
【図２】請求項１のクランプの内部構造を示す部分的破断側面図である。
【図３】本発明の顎アッセンブリの側面図である。
【図４】図３の顎アッセンブリの分解斜視図である。
【図５】図３の顎アッセンブリに使用されている顎要素の側面斜視図である。
【図６】図３の顎アッセンブリに使用されているロック部材の斜視図である。
【図７】顎要素とロック部材の斜視図である。
【図８】顎本体の斜視前面図である。
【図９】ロック位置にある顎を示す上面斜視図である。
【図１０】第１ロック解除位置にある顎を示す上面斜視図である。
【図１１】第２ロック解除位置にある顎を示す上面斜視図である。
【図１２】本発明のクランプの作動を示すブロック図である。
【図１３】本発明のクランプの別の実施形態の部分的分解図である。
【図１４】全顎面パッドの断面図である。
【図１５】図２の１５−１５線に沿う断面図である。
【図１６】クランプ面の代わりの実施形態を示すクランプの或る実施形態の側面図である。
【図１７】本発明のクランプの別の作動を示すブロック図である。
【図１８】本発明のクランプの更に別の作動を示すブロック図である。
【発明を実施するための形態】
【０００６】
図１と図２は、本発明の顎の構造及び作動を示すのに役立つバークランプの或る実施形態を示している。バークランプ１０は、滑動バー１４に接続されている可動顎アッセンブリ１２を含んでいる。滑動バーは、ハンドル／グリップアッセンブリ１８を貫通しているスロット１６内に滑動可能に支持されている。
【０００７】
ハンドル／グリップアッセンブリ１８は、スロット１６が貫通している本体１９と、本体１９のスロット１６の一方の側に取り付けられているハンドグリップ２０と、本体１９のスロット１６の他方の側に取り付けられている固定顎アッセンブリ２２とを含んでいる。引き金ハンドル２４は、例えばピボットピン２６によって、スロット１６に隣接して本体１９に枢動可能に取り付けられている。可動顎アッセンブリ１２は、固定顎アッセンブリ２２の顎面に相対する顎面を含んでおり、両顎面が工作物に接触するようになっている。
【０００８】
駆動レバー３２は、駆動レバー３２内の穴３４を貫通している滑動バー１４に吊されている。ばね３６は、駆動レバー３２と本体１９の面３８との間で圧縮されており、駆動レバー３２を引き金ハンドル２４の上端部４０に押し付けている。引き金ハンドル２４の上端部４０は、二股に分かれて、滑動バー１４を跨いでいる。ばね３６が生成した力は、引き金ハンドル２４を、本体１９の内側面４２に押し付け、スタンバイ状態を提供する。スタンバイ状態では、駆動レバー３２は、作動時の滑動バー１４の運動方向に実質的に垂直に配置されている。ハンドル２４の、ピボットピン２６周りの矢印４４の方向の運動は、全てばね３６の付勢に抗して達成される。
【０００９】
制動レバー４６は、制動レバー４６内の開口部４８を貫通している滑動バー１４から吊されている。制動レバー４６の一端５０は、本体１９内の窪み５２に枢動可能に捕捉されていて、制動レバー４６は、窪み５２の面によって画定されている制約部内で、そしてレバー４６内の開口部４８の縁部が滑動バー１４の表面と係合すると、制動レバー４６が滑動バー１４に食い付くことによって、枢動するようになっている。ばね５４は、制動レバー４６の自由端を、引き金ハンドル２４から離れる方向に付勢している。制動レバー４６の付勢された位置は、レバー４６の開口部４８と滑動バー１４の間の食い付き干渉によって制限される。
【００１０】
図２に示されているスタンバイ位置では、駆動レバー３２は、滑動バー１４の長手方向軸に実質的に垂直であるのに対して、制動レバー４６の、滑動バー１４と係合する部分は、バー１４の長手方向軸を横断しているが、それに対して垂直ではない。この状態で、力が、可動顎アッセンブリ１２に、矢印４４で示されている方向に加えられると、滑動バー１４は、駆動レバー３２内の穴３４を通って自由に動く。力が、可動顎アッセンブリ１２に、矢印４４の方向に加えられると、制動レバー４６は、ばね５４の付勢に抗して自由に枢動するので、制動レバー４６は、滑動バー１４のこの動きに対して何ら障害とならず、可動顎アッセンブリ１２は、固定顎アッセンブリ２２に向けて、連続的に前進させることができる。
【００１１】
しかしながら、力が、可動顎アッセンブリ１２に、矢印４４で示されている方向と反対方向に加えられると、制動レバー４６内の開口部４８の縁部は、滑動バー１４の表面に食い付いて、更に操作しなければ、可動顎アッセンブリ１２を固定顎アッセンブリ２２から遠ざかる方向に動かすことはできない。制動レバー４６を矢印４４の方向に押すことによりばね５６を圧縮すると、滑動バー１４と可動顎アッセンブリ１２を、固定顎アッセンブリ２２から遠ざかる方向に引き離すことができる。この力は、レバー４６の端部５０を、滑動バー１４の意図する運動方向と垂直にする。滑動バー１４は、制動レバー４６内の開口部４８を通って何れの方向にも自由に滑動することができる。
【００１２】
引き金ハンドル２４は、滑動バー１４を徐々に前進させて、取り付けられている可動顎アッセンブリ１２が固定顎アッセンブリ２２に向かうように、矢印４４で示されている方向に絞られる。ハンドル２４がユーザーの手（図示せず）とハンドグリップ２０の間で絞られると、ピボットピン２６の周りに枢動が生じ、引き金ハンドル２４の端部４０が、矢印４４の方向に動く。これは、駆動レバー３２を、その上端部周りに枢動させるので、駆動レバー３２は、意図する滑動バー１４の運動方向４４に対してもはや垂直でなくなる。駆動レバー３２を枢動させることは、ばね３６を圧縮し、更に、駆動レバー３２を貫通する穴３４の縁部を、滑動バー１４の表面に対して食い付かせる。駆動レバー３２は意図する滑動バー１４の運動方向４４にもはや垂直ではないので、食い付きが起こる。引き金ハンドル２４を更に動かすと、駆動レバー３２が矢印４４の方向に並進移動するようになる。この運動は、ばね３６を更に圧縮し、レバー３２とバー１４の間の食い付き干渉のために、バー１４と、接続されているその可動顎アッセンブリ１２を固定顎アッセンブリ２２に向けて進ませる。引き金ハンドル２４を解放すると、ばね３６の圧縮力が構成要素を可動顎アッセンブリ１２に向けて押すので、引き金ハンドル２４、駆動レバー３２、及びばね３６を、図２に示している位置に戻すことになる。顎アッセンブリ１２、２２が一体になるまで、又は、それらの間に工作物Ｗが堅く把握されるまで、追加のストロークを引き金ハンドル２４に任意の強さで加えることもできる。バークランプ用の１つのその様な駆動機構が図示されているが、バークランプ用の駆動機構は、図１及び図２に示されているものとは異なっていてもよく、数多くの異なる型式のバークランプ用駆動機構が知られているものと理解されたい。
【００１３】
先に述べた様な或るクランプでは、工作物をクランプするときに両顎の間に生じるクランプ力の量は、顎及び／又はバーを撓ませるので、顎のクランプ力は、もはや互いに平行ではなくなる。この問題を解決するために、両顎面は互いに対して角度が付けられ、クランプ力を加えると、両顎の遠位端が僅かに撓んで、両顎面が工作物と平行に接触する位置に動くようになっている。その様な配置に関わる１つの問題は、両顎面は、顎面の外側縁部が最初に工作物に接触する或る角度で工作物と最初に接触するので、顎面が平行な向きに達する前にクランプ力が高まる際に、顎面が、工作物にマーク又は凹みを付けてしまうことである。スイベル顎を使用すると、顎面が工作物と接触すると直ぐに、顎面が自らを工作物と平行に向けることができるようになるので、荷重が変化し増えて顎及び／又はバーが撓んだ場合でも、顎面を、工作物と平行に全面接触した状態に維持することができるようになる。しかしながら、スイベル顎の使用は別の問題を作り出し、即ち、顎は簡単に後方に回転して工作物との係合から外れ、クランプから工作物が滑り落ちるので、顎面の遠位縁部を使用して工作物の縁部を把握することができない。本明細書で用いる「遠位」は、クランプの外側に向いた顎の縁部（図３で見て、顎１０４の上部）を指しており、本明細書で用いる「近位」は、バー１４に最も近い顎の内側縁部（図３で見て、顎１０４の下部）を指している。
【００１４】
本発明のロック回転顎アッセンブリを使えば、荷重に関係無く、顎を回転又は旋回させて自身を工作物に平行に整列させることができ、同時に、スイベル顎をロックする能力によって、クランプに、顎が後方に旋回して工作物との接触から外れること無く、顎の遠位縁部だけを使って工作物を把握させることができる。顎アッセンブリは、先に述べた様にバークランプの上に示されているが、ロック回転顎は、顎が互いに向かって及び互いから離れる方向に動いてその間に工作物をクランプし、工作物に圧力を加えるものであれば、どの様なクランプにでも使用できるものと理解頂きたい。更に、顎の一方に、図１に示している様にロック枢動顎アッセンブリを設けてもよいし、両方の顎に、図２に示している様にロック枢動顎アッセンブリを設けてもよい。
【００１５】
図２から図４に示すように、顎アッセンブリ１２は、例えば、緩めることができる締結具によってバー１４に接続されている顎本体１０２を備えている。顎本体１０２は、バーから取り外し、バー上に再配置することができるように、バー上に取り外し可能に取り付けられている。顎１０４は、顎本体１０２に対して矢印Ａの方向（図３）に回転させることができるように、顎本体１０２に回転可能に接続されている。図４と図５に示すように、１つの実施形態では、顎１０４は、顎本体１０２の本体部分１０２ａを受け入れる一対のフランジ１０６を含んでいる。各フランジ１０６は、顎本体部分１０２ａに形成されている穴１１５と整列する穴１１３を含んでいる。ピン１０８は、顎１０４がピン１０８の周りに矢印Ａの方向に回転することができるように、穴１１３と１１５の中へと伸張し、顎１０４を顎本体１０２上に保持している。顎本体１０２と顎１０４の間の接続は、顎が顎本体に対して２つ以上の軸の周りに旋回できるようにするボール−ソケット式の接続であってもよい。
【００１６】
顎１０４は、クランプ操作中に工作物と接触させるための顎面１０４ａを画定している。比較的柔らかいパッド１１７を顎１０４上に配置して、両顎の間にクランプされている工作物の表面を保護してもよい。パッド１１７は、顎面１０４ａを覆って伸張し、クランプ操作中に工作物と接触する、面１１７ａを含んでいる。パッド１１７は、所望であれば省くことができる。ここで用いている顎面は、クランプ操作中に工作物と接触し、面１０４ａの様な顎の面と、パッドが使用される時の面１１７ａの様なパッドの面とを含んでいる、顎アッセンブリの面を意味するよう意図されている。
【００１７】
顎本体１０２は、顎１０４の後方に向いた一対の壁１１０と１１２を備えて形成されている。壁１１０は穴１１５の上方に配置され、壁１１２は穴１１５の下方に配置されていて、壁１１０は顎１０４の上端部と相対し、壁１１２は顎１０４の下端部と相対している。図８に示すように、壁１１０は、２つの突起１１０ａと１１０ｂを有しており、それら突起の間に凹部分１１０ｃが形成されている。同様に、壁１１２は、２つの突起１１２ａと１１２ｂを有しており、それら２つの突起の間に凹部分１１２ｃが形成されている。
【００１８】
図４、図６、図７に示すように、滑動ロック部材１１４は、顎本体１０２と顎１０４の間に配置されている。ロック部材１１４は、顎１０４と共にピボットピン１０８の周りに枢動するように、顎１０４に固定されている。ロック部材１１４は、内側開口部１１６を画定しており、その中を通ってフランジ１０６が伸張している。開口部１１６は、両フランジ１０６を組み合わせた幅より大きく、ロック部材１１４が、顎１０４に対して、ピボットピン１０８の軸に平行な方向に滑動できるようになっている。ロック部材１１４は、その上下縁部上に一対のフランジ１１９と１２１を含んでいる。フランジ１１９と１２１は、顎１０４の内側上下縁部に沿って形成されている噛み合いスロット１２３（図５）に嵌まり、ロック部材１１４が、顎１０４に対して、顎１０４が周りを枢動する軸（ピボットピン１０８の長手方向軸）に平行な方向に滑動できるようになっている。
【００１９】
ロック部材１１４は、更に、ピン１０８を受け入れるための窪み１２７を有するフランジ１２５を含んでいる。押しタブ１２０は、ロック部材１１４の反対側に形成されており、以下に詳しく説明するように、ユーザーが手で操作して、ロック部材１１４を顎１０４に対して滑動させ（図７、矢印Ｂ）、顎１０４をロック及びロック解除するようになっている。
【００２０】
ロック部材１１４は、更に、上壁１２２と下壁１２４を含んでおり、壁１２２は壁１１０に相対して配置され、壁１２４は壁１１２に相対して配置されている。壁１２２は、２つの凹部分１２２ｃと１２２ｄが差し挟まれた２つの突起１２２ａと１２２ｂを有している。壁１２４は、２つの凹部分１２４ｃと１２４ｄが差し挟まれた２つの突起１２４ａと１２４ｂを有している。
【００２１】
ロック部材１１４の壁１２２と１２４は、ロック部材１１４が第１ロック位置にあるときは、ロック部材１１４の突起１２２ａ及び１２２ｂが、顎本体１０２の壁１１０上の突起１１０ａ及び１１０ｂと整列し、突起１２４ａ及び１２４ｂが、顎本体１０２の壁１１２上の突起１１２ａ及び１１２ｂと整列するように配置されている。突起１１０ａ、１１０ｂと突起１２２ａ、１２２ｂの係合が図９に示されており、突起１１２ａ、１１２ｂと突起１２４ａ、１２４ｂの係合も同じであるものと理解されたい。この位置では、ロック部材１１４と顎本体１０２上の突起は、互いに接触して、顎がピン１０８の周りに何れかの方向に回転するのを防いでいる。突起は、ロック位置で、顎１０４の面１０４ａが顎の相対的な運動の方向に実質的に垂直に配置されるような寸法になっている。突起は、表面が、ロック部材１１４の運動の方向に対して斜めになるように形成されていて、ロック部材１１４がロック位置とロック解除位置の間で動かされるときに、突起が互いの上を運動し易いようになっている。表面は、ロック部材１１４の運動の方向に平行に配置してもよい。
【００２２】
図１１に示すように、ロック部材が第２ロック解除位置にあるときは、顎本体上の突起１１０ａ、１１０ｂ及び１１２ａ、１１２ｂは、それぞれ、ロック部材の凹部分１２２ｃ、１２２ｄ及び１２４ｃ、１２４ｄと整列している。ロック解除位置では、突起を相対する窪みと整列させることによって作り出される空間によって、顎１０４を、顎本体１０２に対してピン１０８の周りに回転させることができるようになっている。ロック部材は、ユーザーの所望に応じて、押しタブ１２０又はフランジ１２５を押し引きすることにより、ロック位置又はロック解除位置まで滑動させて、顎をロック又はロック解除できるようになっている。図１１は、突起が向かい合う窪みに挿入されるように、顎の遠位端が顎本体１０２に向けて回されている、第１極端位置まで枢動された顎１０４を示している。図１０は、顎の遠位端が顎本体１０２から離れる方向に回されている、反対の極端位置まで回された顎１０４を示している。この位置では、顎１０４の近位端は、突起が、向かい合う窪みに挿入されるように配置されている。
【００２３】
図１３と図１４に示すように、本発明の別の実施形態では、工作物との接触面を伸張させ枢動顎１０４からバー１４に近接するまで伸ばしている顎拡張部が設けられている。顎拡張部は、顎１０４からバー１４に近接するまで伸張する寸法に作られた長い顎面パッド２００を備えている。顎面パッド２００は、工作物を弾性的に把握できるように比較的軟らかい材料で作られていてもよい。顎面パッド２００は、工作物を把握するための顎面２０２と、その背面に形成されている空洞２０４とを含んでいる。
【００２４】
スペーサー部材２０６は、顎面パッド２００の背面に固定されている。具体的には、スペーサー部材２０６を空洞２０４の下部に嵌め込むと、スペーサー部材２０６に形成されているフランジ２０８が、空洞２０４内に形成されているフランジ２１０に係合して、スペーサー部材２０６が空洞２０４に捕捉されるようになっている。図１３では１つのフランジ２１０と１つのフランジ２０８が見えるだけであるが、フランジ２０８は、スペーサー部材２０６の各側に形成されており、嵌合いフランジ２１０は、空洞２０４の何れかの側に沿って形成されているものと理解されたい。フランジ２０８は、フランジ２１０の後ろに保持され、スペーサー部材２０６を顎面パッド２００に固定している。スペーサー部材２０６は、顎本体の顎１０４の下方の領域に嵌まるような寸法形状に作られている。顎１０４は、空洞２０４の上部に嵌まり、空洞２０４の縁部に沿って形成されているフランジ２１２が、顎１０４の縁部と係合し、顎面パッドを顎１０４上に保持するようになっている。顎面パッド２００は、顎１０４から取り外すことができ、クランプを、図１３と図１４の長い面のパッドから、図１から図１１までの標準的な顎に換えることができるようになっている。長い面パッド２００を備えた顎は、ロック部材１１４がロック解除位置にあれば、先に述べた様に回転させることができるが、スペーサー部材２０６が顎本体１０２と接触するので、顎の下部が回転する角度は小さい。通常、長い顎面パッド２００を用いる場合、ロック部材１１４は、顎の回転を防止するためロック位置にあるが、全面パッドをロック解除位置で用いることもできる。図示の実施形態では、長い顎面が、小さい寸法の顎１０４に装着される取り外し可能なパッド２００として提供されているが、顎１０４を、図１６に示している様に顎面がバーに近接するまで伸張している、常設の長い顎面１２ｃと２２ｃを備えて形成することもできる。図１６は、固定されている常設の長い面２２ｃと、枢動する常設の長い面１２ｃとを示しており、その両方が、バー１４に近接するまで伸張している。実際、クランプに、２つの枢動面又は２つの固定された顎面を設けることもできる。
【００２５】
図２と図１５に示すように、クランプを水平面Ｓ上に支持するため、調節可能な支持体３００が、バー１４に取り付けられている。支持体３００は、バー１４を受け入れて滑動可能に把握するために一端が開いている、溝穴３０２を含んでいる。具体的には、バー１４には、その下縁部の両側から突き出て、実質的にバーの全長に亘って伸張するフランジ１４ａを設けてもよい。図示の実施形態では、バー１４は、その上縁部に同様のフランジ１４ｂを含んでおり、バーが、実質的にＩ字型梁断面形状を有するようになっている。支持体３００の溝穴３０２は、フランジ１４ａと係合する壁３０４によって画定されていて、支持体３００は、バー１４の長さに沿って滑動することはできるが、その他の方向には、バーに固定されるようになっている。壁３０４は、フランジ１４ａと突起３０８を受け入れ、両者の間に、フランジの幅より小さくて、バーが中を通って伸張する空間を画定している窪み３０６を含んでいる。穴３０２、窪み３０６、壁３０４、及び突起３０８は、バー１４と支持体３００の間に比較的ぴったりした摩擦嵌めができるような寸法に作られている。支持体３００は、バー１４の長さに沿って手で動かすことができるが、ユーザーがそれをバー上に位置決めすると、バー上の位置に留まる。
【００２６】
支持体３００は、底面３１０を有する比較的幅広の足部分を含んでおり、足部分は、表面Ｓ上に載り、クランプを、バー１４が実質的に表面Ｓと平行となる位置に支持している。支持体３００の底面３１０は、顎１２の下面１２ａがバーから離れている距離と等しい距離だけバー１４より下に配置されていて、表面３１０と表面１２ａが共面となるようになっている。使用時、支持体３００は、顎１２から間隔を開けて配置され、クランプを表面３１０と表面１２ａ上の表面Ｓ上に支持することができ、バー１４が図２に示されている様に表面Ｓに実質的に平行となり、顎が表面に実質的に垂直となるようになっている。この位置で、クランプ１０は、工作物Ｗを支持することができ、このとき、クランプは、ハンドフリーモードで機能するように、表面Ｓ上に自立している。クランプの一端を支持するのに顎１２の底面１２ａを使っているので、１つの支持体３００を使用するだけでよい。
【００２７】
重要なことに、支持体３００は、バー１４の上縁部を越えて伸張してはいない。そのため、バーと工作物の間に支持体３００を介在させることなく、工作物をバー１４上に直接支持することができる。これが、工作物を支持する最も有効な方法であり、なぜなら、クランプ力がバーの長軸に沿って働くからである。工作物をバー上に支持することにより、クランプ力は、実質的に工作物に沿って掛けられるので、クランプ方向に沿っていない工作物に加えられる力が最少になる。これらの力を最小にすると、工作物に働くトルクと曲げが最小になる。更に、バーは、バーの全長に沿って、工作物への支持を提供する。図１３に示すように、図１３及び図１４の顎拡張部、又は図１６に示している常設の拡張面を使えば、比較的薄い工作物Ｐでも、バー１４上に支持し、顎の間にクランプすることができる。
【００２８】
支持体３００とバー１４の間は、比較的ぴったり嵌まるので、支持体を使って、使用中にバー１４の「自由滑動」を制限することもできる。バーの「自由滑動」は、制動機構４６を緩めたときに、顎１２を、重力によって、又はバー１４を手で押し引きすることによって、顎２２に向けて動かすことができるようにする、バーが本体１９内を滑動する能力である。支持体３００を位置決めして、バーの「自由滑動」を所望の位置で止めることもできる（ブロック１８０１）。バー１４と顎１２が「自由滑動」するか、又は顎２２に向かって動く（ブロック１８０２）と、支持体３００は、本体１９に接触し、バーの自由な運動を制限することになる（ブロック１８０３）。繰り返し使用しても顎１２が同じ位置まで動くように、支持体３００をバー１４上に位置決めすることもできる。支持体３００を手動でバー１４上を滑らせることもできるので、支持体３００上のバー１４の「自由滑動」運動によって作り出される力が支持体３００を所定の位置に保持する摩擦力より小さい場合は、支持体３００のストッパとして作用する能力が働くものと理解されたい。
【００２９】
本発明のクランプ顎を使用し、クランプ顎の全面を使って工作物をクランプする際は、ロック部材をロック解除位置に動かすことによって顎のロック解除する（ブロック１２０１）。ロック部材は、タブを押し引きし、ロック部材上の窪みをクランプ本体上の突起と整列させることにより、ロック解除位置に動かされる（ブロック１２０２）。この位置では、クランプ本体とロック部材の間に十分な間隙が提供されるので、顎を回転させて、工作物と平行に整列させることができる。顎を顎本体に対してロックしたい場合は、ロック部材をロック位置に押し（ブロック１２０３）、そうすると、ロック部材上の突起が顎上の突起と係合する（ブロック１２０４）。この位置では、顎の遠位端を使って、工作物の縁部を把握することができる（ブロック１２０５）。
【００３０】
クランプをハンドフリーモードで使用する際は、支持体３００を、顎１２から間隔を開けて配置し（ブロック１７０１）、クランプを表面３１０と表面１２ａ上の表面Ｓ上で支持し、バー１４が表面Ｓと実質的に平行になる（ブロック１７０２）ようにする。工作物は、バーと工作物の間に支持体３００を介在させることなく、バー１４上に直接支持される（ブロック１７０３）。顎１２は、引き金ハンドル２４を作動させることにより、顎２２に向けて動かされる（ブロック１７０４）。
【００３１】
本発明の特定の実施形態がここに説明されている。当業者には理解頂けるように、本発明は、他の環境では別の利用法もある。実際に、多くの実施形態及び実施例が考えられる。特許請求の範囲は、本発明の範囲を、上記特定の実施形態に限定することを何ら意図するものではない。
【符号の説明】
【００３２】
１０  クランプ
１２  顎アッセンブリ
１２ｃと２２ｃ  常設の長い顎面
１４  滑動バー
１６  スロット
１８  ハンドル／グリップアッセンブリ
１９  本体
２０  ハンドグリップ
２２  固定顎アッセンブリ
２４  引き金ハンドル
２６  ピボットピン
３２  駆動レバー
３４  駆動レバーの穴
３６  ばね
３８  本体の面
４０  引き金ハンドルの上端部
４２  本体の内側面
４６  制動レバー
４８  制動レバーの開口部
５０  制動レバーの一端
５２  本体の窪み
５４  ばね
１０２  顎本体
１０２ａ  顎本体の本体部分
１０４  顎
１０４ａ  顎面
１０６  顎のフランジ
１０８  ピボットピン
１１０、１１２  顎本体の壁
１１０ａ、１１０ｂ、１１２ａ、１１２ｂ  壁の突起
１１０ｃ、１１２ｃ  突起の間の凹部分
１１３  フランジの穴
１１４  ロック部材
１１５  顎アッセンブリの壁の穴
１１６  ロック部材の内側開口部
１１７  パッド
１１７ａ  パッド面
１１９、１２１  ロック部材のフランジ
１２０  押しタブ
１２２、１２４  ロック部材の壁
１２２ａ、１２２ｂ、１２４ａ、１２４ｂ  凹部分が差し挟まれている突起
１２２ｃ、１２２ｄ、１２４ｃ、１２４ｄ  凹部分
１２３  連結スロット
１２５  ロック部材のフランジ
１２７  ピンを受け入れるための窪み
２００  長い顎面パッド
２０２  顎面
２０４  パッドの背面に形成されている空洞
２０６  スペーサー部材
２０８  スペーサー部材に形成されているフランジ
２１０  空洞内に形成されているフランジ（嵌合いフランジ）
２１２  空洞の縁部に沿って形成されているフランジ
３００  支持体
３０２  支持体３００の溝穴
３０４  支持体の壁
３０６  窪み３０６
３０８  突起
３１０  支持体の底面
【図１】
2010042501.tif 000003
【図２】
2010042501.tif 000004
【図３】
2010042501.tif 000005
【図４】
2010042501.tif 000006
【図５】
2010042501.tif 000007
【図６】
2010042501.tif 000008
【図７】
2010042501.tif 000009
【図８】
2010042501.tif 000010
【図９】
2010042501.tif 000011
【図１０】
2010042501.tif 000012
【図１１】
2010042501.tif 000013
【図１２】
2010042501.tif 000014
【図１３】
2010042501.tif 000015
【図１４】
2010042501.tif 000016
【図１５】
2010042501.tif 000017
【図１６】
2010042501.tif 000018
【図１７】
2010042501.tif 000019
【図１８】
2010042501.tif 000020
【外国語明細書】
2010042501000001.pdf